(57)【特許請求の範囲】
【請求項１】
スクランブルされた有料の番組データを受信して表示装置へ出力する放送受信装置において、
前記番組データを受信する受信手段と、
前記受信手段で受信した前記番組データをデスクランブルするデスクランブル手段と、
前記デスクランブル手段でデスクランブルした前記番組データを、前記表示装置への出力とは異なる経路である家庭内回線に接続された他の機器に前記家庭内回線を介して出力する第１の出力手段と、
受信した前記番組データに関する情報を管理する管理手段と、
前記放送受信装置に装着され、契約情報を格納するＩＣカードとの間で各種データやコマンドを送受信するＩＣカードインタフェース手段と、
前記管理手段において管理されている情報を含む出力情報を作成し、前記他の機器に前記家庭内回線を介して出力する第２の出力手段とを備え、
前記管理手段は、前記ＩＣカードインタフェース手段を介して前記ＩＣカードと通信して番組の契約情報を管理し、
前記第１の出力手段は、前記番組データを暗号化して前記他の機器に出力し、
前記第２の出力手段は、少なくとも前記番組データの名称と、番組の契約情報とを含む出力情報を前記他の機器に出力することを特徴とする放送受信装置。
【請求項２】
スクランブルされた有料の番組データを受信して表示装置へ出力する放送受信装置における放送受信方法において、
前記番組データを受信し、
受信した前記番組データをデスクランブルし、
前記放送受信装置に装着され、契約情報を格納するＩＣカードと通信して番組の契約情報を含む受信した前記番組データに関する情報を管理し、
デスクランブルした前記番組データを暗号化して、前記表示装置への出力とは異なる経路である家庭内回線に接続された他の機器に前記家庭内回線を介して出力し、
管理している受信した前記番組データに関する情報を含む出力情報を他の機器に前記家庭内回線を介して出力し、
前記出力情報は、少なくとも前記番組データの名称と、番組の契約情報とを含むことを特徴とする放送受信方法。
【発明の詳細な説明】
【技術分野】
【０００１】
本発明は、ディジタル信号を受信可能な受信装置に関するものであり、特に、複数の機器間での課金情報などのやり取りに応用して好適な受信装置に関する。
【背景技術】
【０００２】
近年、通信衛星（ＣＳ）を利用したディジタル放送サービスが欧米で開始された。また、日本でも平成８年よりＣＳディジタル多チャンネル放送が開始されており、今後各種ディジタル放送サービスが開始される予定である。現在のサービスとしては、無料放送に加え、受信契約が必要な有料放送と、視聴した分だけ視聴料を払うＰＰＶ（ペイ・パー・ビュー）放送などが提供されている。これらのサービスを利用するためには、受信契約情報や課金情報を格納する視聴用ＩＣカードをディジタル放送受信機にセットしておく必要がある。この課金情報は定期的にディジタル放送受信機内のモデムから電話回線を経由して放送提供元に通知される。
【０００３】
欧米では、この視聴用ＩＣカードに加え、銀行カードやクレジットカード、電子マネーなどのＩＣカードを同時にセットするダブルスロット付きのディジタル放送受信機や、視聴用ＩＣカードに電子マネー機能を付けたＩＣカード（１枚）をセットするディジタル放送受信機が開発されている。
【発明の概要】
【発明が解決しようとする課題】
【０００４】
ここで、現在のディジタル放送受信システムでは、有料放送やＰＰＶを視聴するためにディジタル放送受信機１台毎に受信契約が必要となる。したがって、家庭内で新たにディジタル放送受信機を購入する度に契約が必要となり、手間がかかる。
【０００５】
また、ＰＰＶ放送を視聴するには、課金情報を放送提供元に通知するためにディジタル放送受信機と電話回線との接続が必要になる。したがって、複数のディジタル放送受信機を設置するためには、電話回線との接続を考慮した配置、接続構成を考慮する必要があった。
【０００６】
さらに、家庭内で複数のディジタル放送受信機が存在すると、それぞれの課金情報の管理が個別に行われるため、全体の利用状況が把握しにくい。
【０００７】
本発明の目的は、使い勝手の良い受信装置を提供することにある。
【課題を解決するための手段】
【０００８】
上記課題を解決するために、特許請求の範囲に記載された技術思想を用いればよい。
【発明の効果】
【０００９】
本発明によれば、機器間で情報の授受を行うことによって、他の機器の情報を得ることができる使い勝手の良い受信装置を提供することができる。
【図面の簡単な説明】
【００１０】
【図１】本発明によるディジタル放送受信システムの一実施例を示すブロック図である。
【図２】本発明によるディジタル放送受信機の一実施例を示すブロック図である。
【図３】機器データ管理部で管理される機器データ構成の一実施例を示す構成図、及びは機器データ例を示す構成図である。
【図４】ディジタル放送受信機を追加接続した場合の自動契約処理手順の一実施例を示すフローチャートである。
【図５】自動契約処理開始時のディジタル放送受信機の表示画面の一実施例を示す構成図である。
【図６】自動契約処理時の契約内容選択表示画面の一実施例を示す構成図である。
【図７】自動契約処理終了時の表示画面の一実施例を示す構成図である。
【図８】有料放送の利用状況をディジタル放送受信機に表示する手順の一実施例を示すフローチャートである。
【図９】ディジタル放送受信機のメニュー画面の一実施例を示す構成図、有料放送の利用状況を表示するディジタル放送受信機画面の一実施例を示す構成図である。
【図１０】有料放送の利用状況データの一実施例を示す構成図、そのデータ例を示す構成図である。
【図１１】システム全体の利用状況を表示するディジタル放送受信機画面の一実施例を示す構成図である。
【発明を実施するための形態】
【００１１】
以下、本発明によるディジタル放送受信システムの実施例について図面を用いて説明する。
【００１２】
図１は、本発明によるディジタル放送受信システムの一実施例を示すブロック図である。図は一軒の家屋１００で使用される受信システムを示しており、通信衛星あるいは地上波を利用したディジタル放送番組、例えばパーフェク（Ｐｅｒｆｅｃ）ＴＶ信号やダイレク（Ｄｉｒｅｃ）ＴＶ信号はアンテナ１０１を介してディジタル放送受信機１１０ａ〜１１０ｂと、ディジタル放送受信機を内蔵したＴＶ１３０（以下、一体型ＴＶ１３０と言う。）で受信され、ＴＶ１２０ａ、１２０ｂ及び一体型ＴＶ１３０で表示される。各受信機１１０ａ、１１０ｂ、一体型ＴＶ１３０はバス１０、例えばＩＥＥＥ１３９４シリアルバスやＵＳＢなどのバスで接続されている。
【００１３】
家庭内でのディジタル放送受信システムを想定して、この場合、ディジタル放送受信機１１０ａ、ＴＶ１２０ａは部屋２１に、ディジタル放送受信機１１０ｂ、ＴＶ１２０ｂは部屋２２に、一体型１３０は部屋２３に設置されるものとする。また、一体型ＴＶ１３０はモデム（図示せず）を介して公衆回線１３２と接続されている。なお、各家庭ではこれらの機器の他にＶＴＲやＤＶＤなど他の機器をＴＶ１２０ａ、１０２ｂ、１３０に接続しても良い。
【００１４】
次に、図２を用いて、上記ディジタル放送受信機１１０ａ、１１０ｂ（以下、個々のディジタル放送受信機を指す場合を除き、単にディジタル放送受信機１１０という。）の一実施例について説明する。
【００１５】
図２は本発明によるディジタル放送受信機の一実施例を示すブロック図である。図において、ディジタル放送受信受信機１１０、一体型ＴＶ１３０は、本体部２００とＩＣカード部２５０で構成される。
【００１６】
まず、本体部２００は、受信部２０１、デスクランブル部２０２、指定番組分離部２０３、出力形式変換部２０４、暗号／復号変換部２０５、出力部２０６、コマンド入出力部２０７、通信部２０８、機器データ管理部２０９、認証処理部２１０、ＩＣカードＩ／Ｆ部２１１、制御部２１２から構成される。
【００１７】
受信部２０１は所望のチャンネルを選局し、ディジタル変調された信号を復調する。
【００１８】
デスクランブル部２０２は放送提供元と受信契約したチャンネルのみを受信可能とするためのスクランブルを解除する。
【００１９】
指定番組分離部２０３は多重化されて伝送された放送番組データから所望の放送番組に対応する映像／音声データを抽出する。
【００２０】
出力形式変換部２０４は受信した所望の放送番組データを、他の機器（再生装置や録画装置など）が所望する出力形式に変換する。
【００２１】
暗号／復号変換部２０５は他の機器（再生装置や録画装置など）との間で放送番組データや各種コマンドを送受信する場合に、途中でデータの不正取得などを防止するために、送信するデータやコマンドに対して暗号処理を行い、受信したデータやコマンドに対して復号処理を行う。
【００２２】
出力部２０６はバス１０、または他の伝送路で接続された他の機器（再生装置や録画装置など）に放送番組データを出力する。
【００２３】
コマンド入出力部２０７はバス１０で接続された他の機器（再生装置や録画装置など）との間で各種コマンドを送受信する。
【００２４】
通信部２０８は放送提供元に対して番組リクエスト指令や課金情報などを送信する部分であり、公衆回線１３２に接続されている。
【００２５】
機器データ管理部２０９はバス１０で接続された他のディジタル放送受信機との間で契約情報や課金情報を送受信するために必要となる機器データを管理する。
【００２６】
認証処理部２１０は放送番組データの出力先の機器に対して、正規の認定を受けて製造された機器であるか（すなわち、違法視聴や不正コピーを行うことのない機器であるか）を認証する。
【００２７】
ＩＣカードＩ／Ｆ部２１１はＩＣカード部２５０との間で各種データやコマンドを送受信する。
【００２８】
制御部２１２は本体部２００及びＩＣカード部２５０における各部の動作を統括的に制御する。
【００２９】
次に、ＩＣカード部２５０は課金情報管理部２５１、認証処理部２５２、受信契約管理部２５３、本体Ｉ／Ｆ部２５４、暗号／復号変換部２５５、ＩＣカード制御部２５６から構成されている。
【００３０】
課金情報管理部２５１は有料放送やＰＰＶなどの視聴あるいは録画を行う場合に課金される情報を管理する。
【００３１】
認証処理部２５２は本体部２００に対して、正規の認定を受けて製造された機器であること（すなわち、課金情報や契約情報の改ざんを行うことのない機器であること）を認証する。
【００３２】
受信契約管理部２５３は放送提供元との受信契約に関する情報を管理する。
【００３３】
本体Ｉ／Ｆ部２５４は本体部２００との間で各種データやコマンドを送受信する。
【００３４】
暗号／復号変換部２５５は、本体部２００との間で各種データやコマンドを送受信する場合に、途中でそれらの不正取得などを防止するために、送信するデータやコマンドに対して暗号処理を行い、受信したデータやコマンドに対して復号処理を行う。
【００３５】
ＩＣカード制御部２５６はＩＣカード部２５０内の各部の動作を制御する。
【００３６】
本発明の実施例においては、ディジタル放送受信機１１０、一体型ＴＶ１３０の本体内部に機器データ管理部２０９を設けることにより、バス１０で接続された他のディジタル放送受信機との間で契約情報や課金情報をやり取りすることができる。
【００３７】
ここで、一体型ＴＶ１３０の構成は、上記ディジタル放送受信機１１０の構成を含んでおり、当然図２に示す構成を備えている。
【００３８】
次に、図３を用いて、ディジタル放送受信機１１０又は一体型ＴＶ１３０内の機器データ管理部２０９で管理する機器データ３００の一構成例について説明する。
【００３９】
図３（ａ）は機器データ管理部で管理される機器データ構成の一実施例を示す構成図、図（ｂ）は機器データ例を示す構成図である。
【００４０】
機器データ３００は、チューナ種別３０１、モデム・ステータス３０２、ＩＣカード・ステータス３０３、プロテクト３０４、センタ通信機器ＩＤ３０５、通信代理機器ＩＤ３０６から構成されている。
【００４１】
チューナ種別３０１は、ディジタル放送受信機１１０又は一体型ＴＶ１３０が扱う放送サービス方式の種別（例えば、放送業者間による方式の違いを示す識別情報）を示す。
【００４２】
モデム・ステータス３０２は、ディジタル放送受信機１１０又は一体型ＴＶ１３０の通信部２０８の動作状態、すなわち、通信部２０８のモデムが接続されているか、動作中か等の状態、および公衆回線１３２との接続状態を示す。
【００４３】
ＩＣカード・ステータス３０３は、ディジタル放送受信機１１０又は一体型ＴＶ１３０にＩＣカードがセットされているか否かを示す。
【００４４】
プロテクト３０４はバス１０で接続された他のディジタル放送受信機からの契約情報や課金情報のアクセスを制限するものである。例えば、一体型ＴＶ１３０のＩＣカードが受信機１１０ａで読み取られても良いか否かをチックし、読み取られたくない場合はこれを制限したり、受信機１１０ｂで課金情報や契約情報が読み取られたくない場合は、この読み取りを制限する等のプロテクトを行う。
【００４５】
センタ通信機器ＩＤ３０５はディジタル放送受信機１１０又は一体型ＴＶ１３０が放送提供元と通信を行う場合、実際に公衆回線１３２を介して通信を実行する機器の識別子を示す。例えば、通信部２０８が公衆回線１３２に接続されていないディジタル放送受信機が放送提供元と通信を行いたい場合は、同一バス上にある公衆回線１３２に接続されているディジタル放送受信機、または一体型ＴＶ１３０にそれを依頼する。この場合、公衆回線１３２に接続されているディジタル放送受信機１１０又は一体型ＴＶ１３０のＩＤを示す。
【００４６】
通信代理機器ＩＤ３０６はディジタル放送受信機１１０、または一体型ＴＶ１３０に対して放送提供元への通信を依頼する他の機器の識別子を示す。
【００４７】
次に、図４〜図７を用いて、ユーザが新規に購入したディジタル放送受信機、または一体型ＴＶを追加接続した場合の自動受信契約手順について説明する。分かりやすいように、既にディジタル放送受信機１１０ａと一体型１３０が設置されたシステムにおいて、新たにディジタル放送受信機１１０ｂを追加接続する場合を想定して説明する。
【００４８】
図４はディジタル放送受信機を追加接続した場合の自動契約処理手順の一実施例を示すフローチャート、図５は自動契約処理開始時のディジタル放送受信機の表示画面の一実施例を示す構成図、図６は自動契約処理時の契約内容選択表示画面の一実施例を示す構成図である。図７は自動契約処理終了時の表示画面の一実施例を示す構成図である。
【００４９】
まず、追加するディジタル放送受信機１１０ｂをディジタル放送受信システムに接続すると、システムの構成が変化するため、バスリセット処理が行われる。そして、ステップ４０１において、全バスリセット処理が終了し、全機器の接続構成が決定して各機器にアドレスが割り当てられると、ステップ４０２に移行し、ここでディジタル放送受信機１１０ｂの制御部２１２は、コマンド入出力部２０７を介して、バス上の全機器（図１では、受信機１１０ａ、一体型ＴＶ１３０、但しＴＶ１２０ａ、１２０ｂはバスで接続されていても、されていなくても良い。）に対して、機器データ３００の取得要求を発行する。ステップ４０３において、取得要求を受信した機器のうち、少なくても機器データ管理部２０９を備えた機器、すなわち機器データ３００を有する機器（図１では、受信機１１０ａ、一体型ＴＶ１３０）は、機器データ３００を読み出し、ディジタル放送受信機１１０ｂに送信する。ディジタル放送受信機１１０ｂは、受信した機器データ３００の内のＩＣカード・ステータス３０３を参照し、ＩＣカードがセット済みである機器を抽出する。更に、ステップ４０４でプロテクト３０４を参照し、プロテクトがかかっていない機器を抽出する。ここで、１つ以上の機器が抽出できた場合、図５に示すように、今から自動契約を行うための各種手続きを行う旨の画面５００をユーザに対して表示する。
【００５０】
次に、ステップ４０５において、認証処理部２１０は、コマンド入出力部２０７を介して抽出した機器（図１の受信機１１０ａ、一体型ＴＶ１３０）との間で、それらが正規の認定を受けて製造された機器であるか否かを認証する。正規の機器であれば、ステップ４０６に移行し、コマンド入出力部２０７を介して、この抽出した機器に対して、契約情報の取得要求を発行する。この際、この取得要求のコマンドは受信機１１０ｂの暗号／復号変換部２０６で暗号化して送信する。但し、簡易化を考慮する場合には必ずしも暗号化する必要はない。
【００５１】
この取得要求を受信した機器（受信機１１０ａ、又は一体型ＴＶ１３０）の本体部２００の制御部２１２は、受信したコマンドが暗号化されている場合は暗号／復号変換部２０６でこのコマンドを復号化した後、ＩＣカードＩ／Ｆ部２１１を介して、ＩＣカード部２５０に対してこの取得要求を発行する。
【００５２】
この取得要求を受信したＩＣカード制御部２５６は、認証処理部２５２で本体部２００が正規に認定を受けて製造された機器であるか否かを認証し、正規の機器であれば、受信契約管理部２５３で管理している受信契約情報を、暗号／復号変換部２５５で暗号化し、本体Ｉ／Ｆ部２５４を介して本体部２００に送信する。
【００５３】
この受信契約情報を受信した機器（受信機１１０ａ、又は一体型ＴＶ１３０）の本体部２００の制御部２１２は、コマンド入出力部２０７を介して、この契約情報をディジタル放送受信機１１０ｂに送信する。
【００５４】
機器（受信機１１０ａ、一体型ＴＶ１３０）からこの契約情報を受信したディジタル放送受信機１１０ｂの制御部２１２は、Ｉ／ＣカードＩ／Ｆ部２１１を介して、この契約情報をＩ／Ｃカード部２５０に送信する。この契約情報を受信したＩ／Ｃカード制御部２５６は、暗号／復号変換部２５５でこの契約情報を複合化し、本体Ｉ／Ｆ部２５４を介して表示可能な契約情報を本体部２００に送信する。この表示可能な契約情報を受信した制御部２１２はステップ４０７でその内容をユーザに対して表示し、実際に契約する内容を選択する。
【００５５】
図６は実際にユーザに表示する画面６００を示しており、この画面６００上で、ユーザはディジタル放送受信機１１０ｂで契約する内容をリモコン等（図示せず）を使って選択し、決定する。
【００５６】
ユーザが契約内容を選択した後、ディジタル放送受信機１１０ｂの制御部２１２は、ＩＣカードＩ／Ｆ部２１１を介して、ＩＣカード部２５０に対して、決定された契約情報の設定要求を発行する。この際、この契約情報と設定要求のコマンドは暗号／復号変換部２０６で暗号化して送信する。
【００５７】
この設定要求を受信したＩＣカード制御部２５６は、認証処理部２５２で、ディジタル放送受信機１１０ｂの本体部２００が正規に認定を受けて製造された機器であるか否かを認証する。そして、正規の機器であれば、ステップ４０８でこの契約情報を受信機１１０ｂの受信契約管理部２５３に設定、すなわち書き込み処理を行い、本体部２００に対して、新規に受信契約を行う旨を放送提供元に通知するように要求する。そして、ステップ４０９でディジタル放送受信機１１０ｂの制御部２１２は、通信部２０８が公衆回線１３２に接続されているか否かをチェックする。その結果、公衆回線１３２に接続されている場合は、ステップ４１０に移行し、受信機１１０ｂの通信部２０８を介して、放送提供元に新規に受信契約を行う旨を通知する。そして、受信機１１０ｂの機器データ管理部２０９で管理する機器データ３００のセンタ通信機器ＩＤ３０５に、自分のＩＤを設定する。
【００５８】
公衆回線１３２に接続されていない場合は、あらかじめ取得した機器データ３００のモデム・ステータス３０２を参照して、現在公衆回線１３２に接続されている機器を抽出する。そして、ステップ４１１において、受信１１０ｂの機器データ３００のセンタ通信機器ＩＤ３０５に抽出した機器のＩＤを設定すると同時に、コマンド入出力部２０７を介してこの機器に放送提供元との通信の代理を要求する。この要求を受信した機器では、自分の機器データ３００の通信代理機器ＩＤ３０６に、ディジタル放送受信機１１０ｂのＩＤを設定する。そして、ステップ４１２において、ディジタル放送受信機１１０ｂの代理で、放送提供元に新規に受信契約を行う旨を通知する。放送提供元への通知が終了すると、図７に示すように、自動契約が終了した旨をユーザに対して通知する。
【００５９】
以上説明したように、本実施例では、１つ以上のディジタル放送受信機とＴＶ、録画機器などが制御バスで接続されたシステムにおいて、ディジタル放送受信機１１０ａ、１１０ｂ、一体型ＴＶ１３０に機器データ管理部２１０を設ける。そして、上述したように、このシステムにディジタル放送受信機を新規に接続する場合に、他のディジタル放送受信機から既に契約済みの受信契約情報を取得し、それらの一部、あるいは全部をセットされているＩＣカードに書き込む。そして、新規に契約したい内容を放送提供元に通知する。これにより、複数のディジタル放送受信機購入により個別に必要となる受信契約の手間を省くことができるため、ユーザの負担が軽減される。
【００６０】
また、機器データ３００内にセンタ通信機器ＩＤ３０５、および通信代理機器ＩＤ３０６を設けることにより、公衆回線１３２に接続されていないディジタル放送受信機は、センタ通信機器ＩＤ３０５の示すディジタル放送受信機に、放送提供元との通信の代理を依頼することができる。これにより、複数のディジタル放送受信機が存在しても、いずれか一つが公衆回線１３２に接続されていれば良く、公衆回線１３２との接続を考慮した配置、接続構成を考慮する必要がなくなる。なお、ステップ４０５とステップ４０６は順不同でも良い。
【００６１】
次に、図８〜図１１を用いて、バス接続された任意のディジタル放送受信機でシステム全体の有料放送の利用状況を把握する手順について説明する。例として、ディジタル放送受信機１１０ａ上でユーザより利用状況の表示が指示された場合について説明する。
【００６２】
図８は有料放送の利用状況をディジタル放送受信機に表示する手順の一実施例を示すフローチャート、図９（ａ）はディジタル放送受信機のメニュー画面の一例を示す構成図、図９（ｂ）は有料放送の利用状況を表示するディジタル放送受信機画面の一実施例を示す構成図、図１０（ａ）は有料放送の利用状況データの一実施例を示す構成図、図１０（ｂ）データ例を示す構成図、図１１はシステム全体の利用状況を表示するディジタル放送受信機画面の一実施例を示す構成図である。
【００６３】
まず、ステップ８０１において、ユーザがディジタル放送受信機１１０ａを使って、図９（ａ）のメニュー画面１０００を開き、利用状況１００１を選択して有料放送の利用状況の表示を指示すると、ステップ８０２でディジタル放送受信機１１０ａは表示する利用状況がその受信機自身の利用状況かシステム全体の利用状況かをユーザに問い合わせる。図９（ｂ）はこの画面１０１０を示す。
【００６４】
この利用状況の画面１０１０上でユーザがシステム全体１０１２を指示すると、ステップ８０３でバス１０上の全機器（図１では、ディジタル放送受信機１１０ｂ、一体型ＴＶ１３０）に対して、機器データ３００の取得要求を発行する。この取得要求を受信した機器のうち、機器データ３００を有する機器（図１では、ディジタル放送受信機１１０ｂ、一体型ＴＶ１３０）は、この機器データ３００をディジタル放送受信機１１０ａに送信する。但し、送受信機の負荷の軽減を考慮する場合には必ずしも暗号化する必要はない。
【００６５】
ステップ８０４でディジタル放送受信機１１０ａは受信した機器データ３００内のＩＣカード・ステータス３０３を参照し、ＩＣカード部２５０がセット済みである機器を抽出し、ステップ８０５でプロテクト３０４を参照し、プロテクトがかかっていない機器を抽出する。そして、ステップ８０６に移行して、認証処理部２１０で、抽出した機器（図１では、ディジタル放送受信機１１０ｂ、一体型ＴＶ１３０）が正規に認定を受けて製造された機器であるかを認証し、正規の機器であれば、ステップ８０７でコマンド入出力部２０７を介して、これらの機器に対して、利用状況データの取得要求を発行する。この場合、この取得要求のコマンドは暗号／復号変換部２０６で暗号化されて送信される。
【００６６】
この取得要求を受信した機器１１０ｂ、１３０の本体部２００の制御部２１２は、必要であれば暗号／復号変換部２０６でこのコマンドを復号化した後、ＩＣカードＩ／Ｆ部２１１を介して、ＩＣカード部２５０に対して、この取得要求を発行する。
【００６７】
この取得要求を受信したＩＣカード制御部２５６は、認証処理部２５２で本体部２００が正規に認定受けて製造された機器であるかを認証し、正規の機器であれば、課金情報管理部２５１で管理している課金情報から利用状況データを作成し、暗号／復号変換部２５５で暗号化し、本体Ｉ／Ｆ部２５４を介して本体部２００に送信する。
【００６８】
この利用状況データを受信した機器、すなわち受信機１１０ｂ、一体型ＴＶ１３０の本体部２００の制御部２１２は、コマンド入出力部２０７を介して、この利用状況データをディジタル放送受信機１１０ａに送信する。
【００６９】
利用状況データ９００は図１０（ａ）に示すように、機器ＩＤ９０１、利用日９０２、金額９０３、支払い方法９０４、支払い状況９０５、詳細９０６から構成される。これらの利用状況のデータ９００は具体的には図１０（ｂ）のように表示される。
【００７０】
図１０（ａ）において、機器ＩＤ９０１は、有料放送を利用した機器の識別子を示す。例えば、一体型１０３の場合は、ＩＤ０００５がセットされる。利用日９０２は、有料放送を利用した日にちを示す。金額９０３は、購入した有料放送の金額を示す。支払い方法９０４は、有料放送の購入金額の支払い方法を示す。例えば、銀行口座からの自動引き落とし、クレジット、電子マネーなどが挙げられる。支払い状況９０５は、現在の支払い状況を示す。詳細９０６は、利用した有料放送に関する情報を示す。例えば、番組名やチャンネル番号などが挙げられる。
【００７１】
バス上の他の機器、例えば、ディジタル放送受信機１１０ｂ、一体型ＴＶ１３０から利用状況データ９００を受信したディジタル放送受信機１１０ａは、ステップ８０８において、自分にセットされているＩＣカード部２５０に対して、利用状況データの取得要求を発行する。そして、ＩＣカード部２５０のＩＣカード制御部２５６は、認証処理部２５２で本体部２００が正規に認定を受けて製造された機器であるかを認証し、正規の機器であれば、課金情報管理部２５１で管理している課金情報から利用状況データを作成し、暗号／復号変換部２５５で暗号化し、本体Ｉ／Ｆ部２５４を介して本体部２００に送信する。  
【００７２】
その後、ステップ８０９で、ディジタル放送受信機１１０ａの制御部２１２は、ステップ８０７で取得した他の機器の利用状況データ９００とステップ８０８で取得した自分の利用状況データ９００から表示画面を作成し、ＴＶ１２０に表示する。
【００７３】
図１１はユーザに対して実際に表示される画面１１００の例を示している。
【００７４】
図８のフローチャートのステップ８０２でユーザが図９（ｂ）の選択画面１０１０上で本セット１０１１を選択すると、フローはステップ８０８にジャンプする。
【００７５】
以上説明したように、本実施例では、ディジタル放送受信機から別のディジタル放送受信機に対して利用状況を問い合わせ、それをユーザに表示することができる。これにより、それぞれの課金情報が個別に管理されていても、全体の利用状況を把握することができる。
【００７６】
本発明によるディジタル放送受信装置の実施例の説明において、ディジタル放送受信機、一体型ＴＶとに分けて説明したが、ディジタル放送受信装置はこれら両方及び類似の機能を持つ機器を含むものである。
【００７７】
上述の説明から明らかなように、本発明によれば、ディジタル放送サービスにより配信される番組を受信する機能を備えたディジタル放送受信機に機器データ管理部２１０を設ける。そして、１つ以上のディジタル放送受信機とＴＶ、録画機器などが制御バスで接続されたシステムにおいて、ディジタル放送受信機を新規に接続する場合に、他のディジタル放送受信機から既に契約済みの受信契約情報を取得し、それらの一部、あるいは全部がセットされているＩＣカードに書き込む。そして、書き込んだ内容で新規に契約したい旨を放送提供元に通知する。これにより、複数のディジタル放送受信機購入により個別に必要となる受信契約の手間も省くことができ、ユーザの負担が軽減される。
【００７８】
また、機器データ内にセンタ通信機器、および通信代理機器を設けることにより、公衆回線に接続されていないディジタル放送受信機は、センタ通信機器の示すディジタル放送受信機に、放送提供元との通信の代理を依頼することができる。これにより、複数のディジタル放送受信機が存在しても、いずれか一つが公衆回線に接続されていれば良く、公衆回線との接続を考慮した配置、接続構成を考慮する必要がなくなる。
【００７９】
さらに、ディジタル放送受信機から別のディジタル放送受信機に対して有料放送の利用状況を問い合わせ、それをユーザに表示することができる。これにより、それぞれの課金情報が個別に管理されていても、全体の利用状況を把握することができる。
【００８０】
本実施例によるディジタル放送受信装置は、以下のようにも表現できる。例えば、時分割多重化された圧縮映像音声データを受信する手段と、圧縮映像音声データから所望の圧縮映像音声データを抽出する手段と、抽出された所望の圧縮映像音声データを伸張する手段と、バスを介して、他の機器に対して、番組配信元との契約情報の取得要求指令を出力する手段と、バスを介して前記他の機器からの前記契約情報を受信する手段とを備えている。
【００８１】
また、本実施例のディジタル放送受信装置においては、番組配信元と利用者側との間の契約情報を管理する手段と、バスを介して他の機器からの契約情報の要求指令を受信する手段と、契約情報を他の機器に対して送信するか否かを決定する手段と、決定した結果を前記バスを介して送信する手段とから構成される。 更に、本発明においては、番組配信元との間で通信する手段と、他の機器に対してバスを介して、現在番組配信元と通信可能な状態であるかを問い合わせる手段と、問い合わせに対する結果を受信する手段とを備えている。
【００８２】
また、本実施例のディジタル放送受信装置は、番組配信元との間で通信する手段と、バスを介して、他の機器から現在番組配信元と通信可能な状態であるかの問い合わせを受信する手段と、問い合わせに対する回答を送信する手段とを備えている。
【００８３】
また更に、本実施例のディジタル放送受信装置においては、番組配信元との間で通信する手段を持っている。また更に、バスを介して、他の機器に対して、少なくとも課金情報を含む利用状況データの取得要求を発信する手段と、利用状況データを受信する手段とを備えている。
【００８４】
好ましくは、番組配信元との間で通信する手段と、バスを介して、他の機器から、少なくとも課金情報を含む利用状況データの取得要求を受信する手段と、他の機器に対して前記利用状況データを送信するか否かを決定する手段と、他の機器に対して前記利用状況データを送信する手段とを備えている。
【００８５】
本実施例によるディジタル放送受信システムの好ましい形態においては、複数の機器がバス接続され、１つ以上のディジタル放送受信装置を含むディジタル放送受信システム内において、ディジタル放送受信装置に以下の手段を設ける。
（１）複数のチャンネルから所望のチャンネルを選局し所定の変調方式で変調された番組を復調する番組受信手段、
（２）多重化され圧縮された番組から所望の番組に対応する映像／音声データを抽出する番組分離手段、
（３）他の機器に出力する場合に、出力形式を判定し変換する出力形式変換手段、
（４）他の機器映像／音声データや各種コマンドを送信あるいは受信する場合に、途中でデータの不正取得などを防止するために、送信する映像／音声データやコマンドに対して暗号処理を行い、受信したコマンドに対して復号処理を行う暗号／復号変換手段、
（５）他の機器との間で各種コマンドを入力あるいは出力するコマンド入出力手段、
（６）放送提供元との間で番組リクエスト指令や課金情報などを送信するための放送提供元へのアクセス手段、
（７）他の機器に対して映像／音声データを出力する場合に、この他の機器が正規に認定を受けて製造されたものであるかを認証する第１の認証手段、
（８）他の機器との間で契約情報や課金情報をやり取りする際に必要な情報（機器データ）を管理する機器データ管理手段、
（９）本機器本体にセットされるＩＣカードとの間で各種データやコマンドを送受信するＩＣカード通信手段、
（１０）前記の各手段の動作を制御する制御手段。
【００８６】
更に、このＩＣカードには、以下の手段を設ける。
（１１）放送提供元との受信契約情報を管理する受信契約管理手段、
（１２）有料放送やＰＰＶなどの課金情報を管理する課金情報管理手段、
（１３）本ＩＣカードをセットした第１の機器が正規に認定を受けて製造されたものであるかを認証する第２の認証手段、
（１４）本ＩＣカードと本機器本体との間で契約情報や課金情報のデータや各種コマンドを送信あるいは受信する場合に、契約情報や課金情報のデータや各種コマンドに対して暗号処理を行い、受信した契約情報や課金情報のデータや各種コマンドに対して復号処理を行う暗号／復号変換手段、
（１５）本機器本体との間で各種データやコマンドを送受信する本体通信手段、
（１６）前記したＩＣカードの各手段の動作を制御する制御手段。
【００８７】
前述の構成を備えた第１のディジタル放送受信装置（第１の機器）を含むシステムにおいて、新たに第２のディジタル放送受信装置（第２の機器）を追加接続して、この装置の受信契約を行う場合、
第２の機器をバスに接続すると、第２の機器はコマンド入出力手段を介して、バスに接続された全機器に対して機器データの取得要求を発行する。
【００８８】
この取得要求を受信した第１の機器は機器データ管理手段を用いて管理している機器データをコマンド入出力手段を介して第２の機器に送信する。
【００８９】
機器データを受信した第２の機器は制御手段を用いて、第１の機器がＩＣカードがセットされているかを判定し、ＩＣカードがセット済みである第１の機器との間で、第１の認証手段を用いて第１の機器が正規に認定を受けて製造された機器であるかを認証する。正規の機器であれば、第１の機器に対して、コマンド入出力手段を介して受信契約情報の取得要求を発行する。
【００９０】
取得要求を受信した第１の機器はＩＣカード通信手段を介して、セットされたＩＣカードに対して受信契約情報の取得要求を発行する。
【００９１】
ＩＣカードは第２の認証手段を用いて第１の機器が正規に認定を受けて製造された機器であるかを認証した後、受信契約管理手段を用いて管理している受信契約情報を読み出し、この受信契約情報を暗号／復号変換手段を用いて暗号化し、本体通信手段を介して第１の機器に送信する。
【００９２】
受信契約情報を受信した第１の機器はコマンド入出力手段を介してそれを第２の機器に送信する。
【００９３】
第２の機器はＩＣカード通信手段を介して、セットされたＩＣカードに対して第１の機器から受信した受信契約の設定要求を発行する。
【００９４】
ＩＣカードは第２の認証手段を用いて第２の機器が正規に認定され製造された機器であるかを認証した後、受信契約管理手段を用いて受信契約情報を設定する。
【００９５】
バス接続された機器間で利用状況を把握する場合は、任意のディジタル放送受信装置（第１の機器）に対してシステム全体の利用状況の表示を指示すると、第１の機器はコマンド入出力手段を介して、バスに接続された全機器に対して機器データの取得要求を発行し、取得した機器データを基に、ＩＣカードがセットされている第２の機器を抽出し、それらに対して第１の認証手段を用いて正規に認定を受けて製造された機器であるかを認証し、正規の機器であればコマンド入出力手段を介して、利用状況データの取得要求を発行する。
【００９６】
取得要求を受信した第２の機器はＩＣカード通信手段を介して、セットされたＩＣカードに対して課金情報の取得要求を発行する。
【００９７】
ＩＣカードは第２の認証手段を用いて第１の機器が正規に認定受けて製造された機器であることを認証した後、課金情報管理手段を用いて管理している課金情報を読み出し、該課金情報を暗号／復号変換手段を用いて暗号化し、本体通信手段を介して該第２の機器に送信する。
【００９８】
第２の機器はコマンド入出力手段を介して、受信した課金情報を第１の機器に送信し、課金情報を受信した第１の機器はディスプレイに表示する。
【符号の説明】
【００９９】
１１０ａ，１１０ｂ…ディジタル放送受信機、１３０…ディジタル放送受信機内臓ＴＶ、２００…本体部、２０１…受信部、２０２…デスクランブル部、２０３…指定番組分離部、２０４…出力形式変換部、２０５…暗号／復号変換部、２０６…出力部、２０７…コマンド入出力部、２０８…通信部、２０９…機器データ管理部、２１０…認証処理部、２１１…ＩＣカードＩ／Ｆ部、２１２…制御部、２５０…ＩＣカード部、２５１…課金情報管理部、２５２…認証処理部、２５３…受信契約管理部、２５４…本体Ｉ／Ｆ部、２５５…暗号／復号変換部、２５６…ＩＣカード制御部である。
【図１】
0004742176.tif 000002
【図２】
0004742176.tif 000003
【図３】
0004742176.tif 000004
【図４】
0004742176.tif 000005
【図５】
0004742176.tif 000006
【図６】
0004742176.tif 000007
【図７】
0004742176.tif 000008
【図８】
0004742176.tif 000009
【図９】
0004742176.tif 000010
【図１０】
0004742176.tif 000011
【図１１】
0004742176.tif 000012